(57)【要約】【課題】コンテンツを選択的に管理できる情報処理装置を提供する。【解決手段】この情報処理装置は、コンテンツを格納する検索対象記憶媒体としてのＳＤカード２から所定のコンテンツ種別のコンテンツを検索して取得するコンテンツ管理プログラム１１０と、コンテンツ管理プログラム１１０が取得した所定のコンテンツ種別のコンテンツを記憶する記憶部１４のライブラリ１４０とを有する。【選択図】図３
2009157568.tif 000002
【特許請求の範囲】
【請求項１】
コンテンツを格納する検索対象記憶媒体から所定のコンテンツ種別のコンテンツを検索して前記コンテンツを取得するコンテンツ管理部と、
前記コンテンツ管理部が取得した前記コンテンツを記憶する記憶部とを有することを特徴とする情報処理装置。
【請求項２】
前記コンテンツ管理部は、取得した前記コンテンツのうち、前記記憶部に存在しない前記コンテンツを前記記憶部に記憶させることを特徴とする請求項１に記載の情報処理装置。
【請求項３】
前記コンテンツ管理部は、前記検索対象記憶媒体に格納された前記コンテンツのうち、所定のディレクトリに含まれる前記コンテンツを検索することを特徴とする請求項２に記載の情報処理装置。
【請求項４】
前記コンテンツ管理部は、前記検索対象記憶媒体に格納された前記コンテンツのうち、所定の記憶容量以下の前記コンテンツを検索することを特徴とする請求項３に記載の情報処理装置。
【請求項５】
コンテンツを格納する検索対象記憶媒体から所定のコンテンツ種別のコンテンツを検索するコンテンツ管理部と、
前記コンテンツ管理部が検索した前記コンテンツに関する格納先情報を記憶する記憶部とを有することを特徴とする情報処理装置。
【請求項６】
前記コンテンツ管理部は、検索した前記コンテンツのうち、前記記憶部に存在しない前記コンテンツの格納先情報を前記記憶部に記憶させることを特徴とする請求項５に記載の情報処理装置。
【請求項７】
前記コンテンツ管理部は、前記検索対象記憶媒体に格納された前記コンテンツのうち、所定の階層に含まれる前記コンテンツを検索することを特徴とする請求項６に記載の情報処理装置。
【請求項８】
前記コンテンツ管理部は、前記記憶部の前記格納先情報に基づいて前記検索対象記憶媒体の前記コンテンツを再生することを特徴とする請求項５に記載の情報処理装置。
【発明の詳細な説明】
【技術分野】
【０００１】
本発明は、情報処理装置に関する。
【背景技術】
【０００２】
従来の技術として、ディレクトリに意味付けするためのグループ名を付与し、そのグループ名を用いてコンテンツを検索することにより、同じグループにあるコンテンツの閲覧を容易にした情報処理装置がある（例えば、特許文献１参照）。
【０００３】
この情報処理装置は、記憶部または外部記憶媒体等に格納されたコンテンツをディレクトリを用いて階層的に管理でき、ディレクトリに対してディレクトリ名とは異なる意味づけされたグループ名を付与するグループ名付与手段を有するため、グループ名を用いてディレクトリまたはディレクトリに含まれるコンテンツを検索することで容易に所望のグループのコンテンツを選択的に閲覧することができる。
【特許文献１】特開２００７−１５６６８０号公報
【発明の開示】
【発明が解決しようとする課題】
【０００４】
しかし、従来の情報処理装置によると、グループ名の付与されたディレクトリおよびコンテンツに対しては検索および閲覧が容易であるが、例えば、グループ名の付与されていない階層構造を有するディレクトリおよびコンテンツをグループごとに選択的に閲覧するには、閲覧前にそれらのディレクトリおよびコンテンツにグループ名を付与する手順が必要となり管理が煩雑である。
【０００５】
従って、本発明の目的は、コンテンツを選択的に管理できる情報処理装置を提供することにある。
【課題を解決するための手段】
【０００６】
（１）本発明は上記目的を達成するため、コンテンツを格納する検索対象記憶媒体から所定のコンテンツ種別のコンテンツを検索して前記コンテンツを取得するコンテンツ管理部と、前記コンテンツ管理部が取得した前記コンテンツを記憶する記憶部とを有することを特徴とする情報処理装置を提供する。
【０００７】
上記した構成によれば、検索対象記憶媒体に格納されたコンテンツのうち、所定のコンテンツ種別のコンテンツのみを検索するため、記憶部に所望のコンテンツ種別のコンテンツをコピーすることができる。
【０００８】
（２）また、本発明は上記目的を達成するため、コンテンツを格納する検索対象記憶媒体から所定のコンテンツ種別のコンテンツを検索するコンテンツ管理部と、前記コンテンツ管理部が検索した前記コンテンツに関する格納先情報を記憶する記憶部とを有することを特徴とする情報処理装置を提供する。
【０００９】
上記した構成によれば、検索対象記憶媒体に格納されたコンテンツのうち、所定のコンテンツ種別のコンテンツを検索し、その格納先情報を取得するため、コンテンツをコピーすることなく、所望のコンテンツにアクセスすることができる。
【発明の効果】
【００１０】
本発明によれば、コンテンツを選択的に管理できる。
【発明を実施するための最良の形態】
【００１１】
以下に、本発明の情報処理装置の実施の形態を、図面を参照して詳細に説明する。
【００１２】
〔第１の実施の形態〕
（情報処理装置の構成）
図１は、本発明の第１の実施の形態に係る情報処理装置を示す斜視図である。
【００１３】
情報処理装置１は、内蔵された記憶部または挿抜可能なＳＤカード等の外部記録媒体に記憶されたオーディオデータ、ビデオデータ、ピクチャデータ等のコンテンツを再生して音声や映像を出力できるマルチメディアプレイヤーであって、外部記録媒体から内蔵された記憶部にデータをコピーすることができる。また、情報処理装置１は、本体内にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を格納し、正面部に文字や画像等を表示する液晶表示パネル等からなる表示部１２と、情報処理装置１の電源投入状態（電源オン／オフ）を切り替える電源スイッチとメニュー操作やボリューム操作、チャンネル切替操作等を行える複数のスイッチからなる操作部１３とを有する。
【００１４】
図２は、本発明の第１の実施の形態に係る情報処理装置の底面を示す斜視図である。
【００１５】
情報処理装置１は、本体底面に検索対象記憶媒体としてのＳＤカード２を挿入可能なＳＤカードスロット１０を有し、ＳＤカード２に記憶されたコンテンツを読み出しできるとともに、ＳＤカード２にコンテンツを書き込むことができる。なお、情報処理装置１は、ＳＤカード２の他、コンパクトフラッシュやマイクロドライブ等の記憶媒体を扱えるように専用のスロットを設けてもよいし、複数の記憶媒体を扱えるようにしてもよい。
【００１６】
図３は、本発明の第１の実施の形態に係る情報処理装置の構成を示すブロック図である。
【００１７】
情報処理装置１は、ＳＤカード２のコンテンツ格納領域２０に格納されたコンテンツを読み出し、およびコンテンツ格納領域に対してコンテンツの書き込みが可能なＳＤカードスロット１０と、各部を制御するとともにＳＤカード２および記憶部１４に格納されるコンテンツを管理するコンテンツ管理プログラム１１０を実行する制御部１１と、文字や画像等を表示する液晶表示パネル等からなる表示部１２と、複数のスイッチよりなり情報処理装置１を操作する操作部１３と、コンテンツを管理する記憶領域としてのライブラリ１４０を格納する記憶部１４と、外部機器と通信するＵＳＢ（Ｕｎｉｖｅｒｓａｌ  Ｓｅｒｉａｌ  Ｂｕｓ）端子や無線で外部機器と通信する無線ＬＡＮやＢｌｕｅｔｏｏｔｈ（登録商標）等からなる通信部１５とを有し、各部はそれぞれバス１６で接続されている。なお、情報処理装置１は、図示しない充電可能な内部電源を有しており、携帯して使用することができる。
【００１８】
記憶部１４のライブラリ１４０は、ＳＤカード２のコンテンツ格納領域２０からコピーされたコンテンツを格納するコンテンツ格納領域１４０Ａと、格納されているコンテンツのリストをライブラリデータとして記憶するライブラリデータ１４０Ｂとを有する。また、ライブラリ１４０のコンテンツ格納領域１４０は、コンテンツの付随情報に基づいてコンテンツを格納するパスが定められている。例えば、コンテンツがオーディオデータである場合、ジャンル別のディレクトリが作成されており、それぞれのジャンルのディレクトリにはアーティスト別のディレクトリが作成されている。また、それぞれのアーティストのディレクトリ内には、アルバム別のディレクトリが作成されており、アルバムのディレクトリの中にオーディオデータが格納されている。
【００１９】
図４は、本発明の第１の実施の形態に係るコンテンツ格納領域の構成例を示す概略図である。
【００２０】
ＳＤカード２内のコンテンツ格納領域２０は、階層構造を有しており、例えば、ディレクトリ２００Ａが存在し、その中にディレクトリ２００Ｂ、さらにディレクトリ２００Ｃと存在することでツリー構造をなす。最も上位の階層であるコンテンツ格納領域２０を０階層として、ディレクトリ２００Ａを１階層、ディレクトリ２００Ｂを２階層、ディレクトリ２００Ｃを３階層とする。０階層には、コンテンツ２００ａが存在し、１階層には、コンテンツ２００ｂ、２階層には、コンテンツ２００ｃ、３階層には、コンテンツ２００ｄおよび２００ｅが格納される。なお、取得コンテンツ２０Ａ、および非取得コンテンツ２０Ｂについては後述する。また、各階層に複数のディレクトリが存在してもよい。
【００２１】
図５は、本発明の第１の実施の形態に係るコンテンツ管理プログラムの表示例を示す概略図である。
【００２２】
検索コンテンツ一覧１２Ａは、コンテンツ管理プログラム１１０によってＳＤカード２内のコンテンツを検索する際に、検索するコンテンツのコンテンツ種別を選択するために表示部１２に表示されるものであり、コンテンツ種別を選択するための選択枠１２０と、オーディオデータに関するコンテンツを検索するコンテンツ種別１２１ａと、ビデオデータに関するコンテンツを検索するコンテンツ種別１２１ｂと、ピクチャデータに関するコンテンツを検索するコンテンツ種別１２１ｃと、コンテンツ種別１２１ａ〜１２１ｃ以外のコンテンツを検索するコンテンツ種別１２１ｄとを有する。
【００２３】
図６は、本発明の第１の実施の形態に係るコンテンツ管理プログラムの表示例を示す概略図である。
【００２４】
ＳＤカード内ミュージック一覧１２Ｂは、コンテンツ管理プログラム１１０によってＳＤカード２内の、例えば、オーディオデータに関するコンテンツを検索した結果を表示部１２に表示するものであり、ＳＤカード２のコンテンツ格納領域２０の検索したコンテンツ、ここではオーディオデータに関するコンテンツのすべてを情報処理装置１の記憶部１４のライブラリ１４０にコピーする登録コマンド１３０と、操作部１３により移動してコンテンツを選択する選択枠１３１と、コンテンツ内容を画像を用いて簡易表示するサムネイル１３２ａ〜１３２ｆと、コンテンツのファイル名を示すコンテンツ名１３３ａ〜１３３ｆと、コンテンツの付随情報であり詳細情報を示すコンテンツ情報１３４ａ〜１３４ｆとを有する。
【００２５】
コンテンツ情報１３４ａ〜１３４ｆは、オーディオデータの場合は、例えば、アーティスト情報、アルバム情報、ジャンル情報等を示す付随情報である。ビデオデータの場合は、タイトル名、ジャンル等を示し、ピクチャデータの場合は、ファイル名、撮影日付時間等を示す付随情報である。
【００２６】
（動作）
以下に、本発明の第１の実施の形態における情報処理装置の動作を各図を参照しつつ説明する。
【００２７】
図７は、本発明の第１の実施の形態に係る情報処理装置１の動作例を示すフローチャートである。
【００２８】
情報処理装置１のＳＤカードスロット１０にＳＤカード２が挿入されると、コンテンツ管理プログラム１１０が起動し、図５に示す検索コンテンツ一覧１２Ａを表示して利用者にコンテンツ種別を選択させる（Ｓ１０）。利用者がコンテンツ種別１２１ａを選択した場合は、ＳＤカード２のコンテンツ格納領域２０からオーディオデータを検索する（Ｓ１１）。利用者がコンテンツ種別１２１ｂを選択した場合は、ＳＤカード２のコンテンツ格納領域２０からビデオデータを検索する（Ｓ１２）。利用者がコンテンツ種別１２１ｃを選択した場合は、ＳＤカード２のコンテンツ格納領域２０からピクチャデータを検索する（Ｓ１２）。なお、その他のコンテンツの検索に関しては説明を省略する。また、検索の際、コンテンツの拡張子や付随情報を参照してコンテンツ種別を判断する。
【００２９】
次に、コンテンツ管理プログラム１１０は、例えば、ステップＳ１１において取得されたコンテンツを、図６に示すＳＤ内ミュージック一覧１２Ｂによって表示する（Ｓ１４）。なお、ステップＳ１２の場合は、ＳＤ内ビデオ一覧を、また、ステップＳ１３の場合は、ＳＤ内ピクチャ一覧を表示する。ＳＤ内ビデオ一覧、およびＳＤ内ピクチャ一覧の表示内容はＳＤ内ミュージック一覧１２Ｂに従うものとする。
【００３０】
次に、ＳＤ内ミュージック一覧１２Ｂにおいて、利用者によってライブラリ１４０に登録する対象のコンテンツが選択されると（Ｓ１５）、選択されたコンテンツをライブラリ１４０にコピーする（Ｓ１６）。
【００３１】
なお、コンテンツ管理プログラム１１０は、ステップＳ１１〜Ｓ１３においてＳＤカード２のコンテンツ格納領域２０のコンテンツを検索する場合、図４に示す０階層、ディレクトリ２００Ａ、およびディレクトリ２００Ｂに含まれるコンテンツを取得コンテンツ２０ＡとしてステップＳ１４においてリスト表示し、それ以外のディレクトリ２００Ｃに含まれるコンテンツは非取得コンテンツ２０Ｂとして表示しない。この取得コンテンツ２０Ａは、例えば、コンテンツ格納領域２０の２階層までのディレクトリに含まれるコンテンツに設定されている。
【００３２】
また、コンテンツ管理プログラム１１０は、ステップＳ１１〜Ｓ１３においてＳＤカード２のコンテンツ格納領域２０のコンテンツを検索する場合、記憶部１４の空き領域の記憶容量を取得し、例えば、その１０％以下の記憶容量（所定の記憶容量）を有するコンテンツのみを取得コンテンツ２０ＡとしてステップＳ１４においてリスト表示し、それより大きい記憶容量を有するコンテンツを非取得コンテンツ２０Ｂとして表示しない。また、記憶容量に対して閾値を設定して、閾値以下のコンテンツを取得コンテンツ２０Ａとしてもよい。
【００３３】
図８は、本発明の第１の実施の形態に係る情報処理装置の動作例を示すフローチャートである。
【００３４】
以下に説明する動作は、図７のステップＳ１６を詳細に説明したものである。まず、コンテンツ管理プログラム１１０は、ステップ１５において利用者が選択した登録対象コンテンツをコンテンツ格納領域２０から取得する（Ｓ２０）。次に、コンテンツの付随情報、例えば、オーディオデータであればアーティスト情報、アルバム情報、ジャンル情報を取得する（Ｓ２１）。
【００３５】
次に、コンテンツ管理プログラム１１０は、コンテンツの付随情報に基づいてライブラリ１４０にコピー先のパスを生成する。次に、ライブラリ１４０とステップＳ２２で作成したコピー先のパスを比較して、既存パスがある場合（Ｓ２３；Ｙｅｓ）、既存パスに存在するコンテンツがコピーするコンテンツと同一であるかどうかを確認する（Ｓ２４）。
【００３６】
コンテンツが異なる場合（Ｓ２４；Ｎｏ）、およびステップＳ２３において既存パスがない場合（Ｓ２３；Ｎｏ）、コンテンツをライブラリ１４０のコンテンツのリストであるライブラリデータ１４０Ｂに登録し（Ｓ２５）、コンテンツ自体をライブラリ１４０のコンテンツ格納領域１４０Ａにコピーする（Ｓ２６）。ステップＳ２４においてコンテンツが重複している場合（Ｓ２４；Ｙｅｓ）、ライブラリ１４０にコンテンツを登録しない。
【００３７】
ステップＳ２０〜Ｓ２６は、登録対象コンテンツのすべてに対して実行される（Ｓ２７）。
【００３８】
なお、コンテンツ管理プログラム１１０は、ステップＳ２４において、同一のコンテンツであるかどうかの確認は、例えば、オーディオデータの場合、オーディオフォーマット（ＭＰ３、ＷＡＶ、ＡＡＣ等）や、曲名、ファイルサイズ等を比較して行われる。また、ビデオデータの場合、ビデオフォーマット（ＭＰＥＧ４、ＷＭＡ等）や、タイトル名、ジャンル、ファイルサイズ等を比較し、ピクチャデータの場合、ピクチャフォーマット（ＪＰＥＧ、ＴＩＦＦ等）や、ファイル名、撮影日時等を比較する。
【００３９】
（第１の実施の形態の効果）
上記した第１の実施の形態によると、ＳＤカード２からコンテンツを取得する際、取得するコンテンツ種別を予め定めて検索することで検索結果を表示し、利用者が検索結果から選択したコンテンツをライブラリ１４０にコピーするため、コンテンツの選択的な管理が容易となる。
【００４０】
また、ＳＤカード２の検索範囲をディレクトリの階層を指定して実行することで情報処理装置に対する検索処理の負荷を減少させることができる。
【００４１】
また、重複するコンテンツをライブラリ１４０にコピーしないため、記憶部１４の記憶容量を浪費することがない。
【００４２】
また、コンテンツの記憶容量に基づいて取得コンテンツ２０Ａを決定することで記憶部１４の記憶容量の浪費を減少することができる。
【００４３】
なお、ＳＤカード２からコンテンツをコンテンツ格納領域１４０Ａにコピーせずに、格納先情報としてライブラリデータ１４０ＢにＳＤカード２内のコンテンツに関するライブラリデータを作成し、コンテンツ管理プログラム１１０がライブラリデータに基づいてＳＤカード２のコンテンツを再生する構成としてもよい。こうすることで、記憶部１４の記憶容量を占有することなくＳＤカード２内のコンテンツの内容を把握して使用することができる。
【００４４】
〔第２の実施の形態〕
（構  成）
図９は、本発明の第２の実施の形態に係るコンテンツ管理プログラムの表示例を示す概略図である。なお、以下の説明において、第１の実施の形態と同一の構成および機能を有する部分については共通の符号を付している。
【００４５】
コンテンツ取込先一覧１２Ｃは、コンテンツ管理プログラム１１０によって検索する取込先を選択するために表示部１２に表示されるものであり、取込先を選択するための選択枠１５０と、ＳＤカード２内のコンテンツを検索する取込先１５１ａと、通信部１５を介して接続されたＵＳＢ大容量記憶装置のコンテンツを検索する取込先１５１ｂと、通信部１５を介して接続されたデジタルカメラ内の記憶媒体のコンテンツを検索する取込先１５１ｃとを有する。なお、取込先は、上記したものに限られず、情報処理装置１に接続される記憶媒体を有する外部機器であればよい。
【００４６】
（第２の実施の形態の効果）
上記した第２の実施の形態によると、コンテンツ取込先一覧１２Ｃにおいて取込先を選択できるようにしたことで、情報処理装置１に接続される記憶媒体のコンテンツを検索することができる。
【図面の簡単な説明】
【００４７】
【図１】本発明の第１の実施の形態に係る情報処理装置を示す斜視図である。
【図２】本発明の第１の実施の形態に係る情報処理装置の底面を示す斜視図である。
【図３】本発明の第１の実施の形態に係る情報処理装置の構成を示すブロック図である。
【図４】本発明の第１の実施の形態に係るコンテンツ格納領域の構成例を示す概略図である。
【図５】本発明の第１の実施の形態に係るコンテンツ管理プログラムの表示例を示す概略図である。
【図６】本発明の第１の実施の形態に係るコンテンツ管理プログラムの表示例を示す概略図である。
【図７】本発明の第１の実施の形態に係る情報処理装置１の動作例を示すフローチャートである。
【図８】本発明の第１の実施の形態に係る情報処理装置の動作例を示すフローチャートである。
【図９】本発明の第２の実施の形態に係るコンテンツ管理プログラムの表示例を示す概略図である。
【符号の説明】
【００４８】
１…情報処理装置、２…ＳＤカード、１０…ＳＤカードスロット、１１…制御部、１２…表示部、１２Ａ…検索コンテンツ一覧、１２Ｂ…ＳＤカード内ミュージック一覧、１２Ｃ…コンテンツ取込先一覧、１３…操作部、１４…記憶部、１５…通信部、１６…バス、２０…コンテンツ格納領域、２０Ａ…取得コンテンツ、２０Ｂ…非取得コンテンツ、１１０…コンテンツ管理プログラム、１２０…選択枠、１２１ａ〜１２１ｄ…コンテンツ種別、１３０…登録コマンド、１３１…選択枠、１３２ａ-１３２ｆ…サムネイル、１３３ａ-１３３ｆ…コンテンツ名、１３４ａ-１３４ｆ…コンテンツ情報、１４０…ライブラリ、１４０Ａ…コンテンツ格納領域、１４０Ｂ…ライブラリデータ、１５０…選択枠、１５１ａ〜１５１ｃ…取込先、２００ａ〜２００ｄ…コンテンツ、２００Ａ〜２００Ｃ…ディレクトリ
【図１】
2009157568.tif 000003
【図２】
2009157568.tif 000004
【図３】
2009157568.tif 000005
【図４】
2009157568.tif 000006
【図５】
2009157568.tif 000007
【図６】
2009157568.tif 000008
【図７】
2009157568.tif 000009
【図８】
2009157568.tif 000010
【図９】
2009157568.tif 000011